(57)【特許請求の範囲】
【請求項１】
上面中央部に開口部を有し、下端が解放された筒状シールプレートと、
先端が開口すると共に中途位置で上記開口部に実質的に液密に挿通され傾動自在に保持されると共に少なくとも先端が昇降可能な掘削パイプと、
該掘削パイプ内で長手方向に沿って設けられた水パイプと、
該水パイプの先端に設けられ水ジェットを放出させるためのノズルと、
送水ホースを介して水パイプと連通して穴堀り可能な水圧の水を供給する水供給部と、
一端が前記掘削パイプと連通し、他端が開放された排水ホースと、
を具備してなることを特徴とする簡易穴掘り装置。
【請求項２】
上面中央部に開口部を有し、下端が解放された筒状シールプレートと、
先端が開口し、基端が閉塞され、中間部が該開口部にボールジョイントを介して実質的に液密に上下方向に摺動自在、かつ回動自在に挿通される掘削パイプと、
該掘削パイプの軸芯にて長手方向に沿って上下動自在に設けられた水パイプと、
該水パイプの先端に設けられ水ジェットを放出させるためのノズルと、
送水ホースを介して水パイプの基端と連通する水ポンプまたは一般水道水を供給する水道からなる水供給部と、
一端が前記掘削パイプの基端近傍と連通し、他端が解放された排水ホースと、
を具備してなることを特徴とする簡易穴掘り装置。
【請求項３】
排水ホースと掘削パイプとの接続部の水パイプの部分に分岐して設けられ、先端が排水ホース方向に向けて開口する分岐ノズルをさらに具備してなることを特徴とした請求項１または２に記載の簡易穴掘り装置。
【請求項４】
水パイプの上端部に送水ホースからの水量、水圧を制御する弁機構が設けられていることを特徴とした請求項１、２または３のいずれかに記載の簡易穴掘り装置。
【請求項５】
水パイプの上端に掘削パイプ先端と水パイプ先端との位置関係を調整する調整ネジが設けられていることを特徴とした請求項１、２、３または４のいずれかに記載の簡易穴掘り装置。
【発明の詳細な説明】
【０００１】
【産業上の利用分野】
この発明は、一般家庭で素人でも地面に簡単に穴を掘ることができる簡易穴掘り装置に関する。
【０００２】
【従来の技術】
水圧で地面に穴を開ける方法として、水力採炭や、ウォータジェットカッティング、あるいは高圧ジェットによるグリーンカットなどが、一般に知られている。しかし、これらの方法は大規模な装置を用いるものであり、一般家庭で行われる穴掘り用として手軽に利用できるものではない。
【０００３】
【発明が解決しようとする課題】
この発明は上記事情に鑑みて創案されたもので、この主たる課題は、一般家庭で素人でも地面に簡単に穴を掘ることができる簡易穴掘り装置を提供することにある。
【０００４】
【課題を解決するための手段】
この発明は上記課題を解決するため、水ジェットを地中に向けて放出する水パイプを、排水路を形成する掘削パイプと同軸的に設けるとともに、これらを地面に密着して設けられるシールプレートに、これを中心として傾動自在、かつ先端が少なくとも昇降可能に設けるという手段を講じた。
すなわち、請求項１の発明では、
上面中央部に開口部を有し、下端が解放された筒状シールプレートと、
先端が開口すると共に中途位置で上記開口部に実質的に液密に挿通され、傾動自在に保持されると共に少なくとも先端が昇降可能な掘削パイプと、
該掘削パイプ内で長手方向に沿って設けられた水パイプと、
該水パイプの先端に設けられ水ジェットを放出させるためのノズルと、
送水ホースを介して水パイプと連通して穴堀り可能な水圧の水を供給する水供給部と、
一端が前記掘削パイプと連通し、他端が開放された排水ホースと、
を具備してなることを特徴とする簡易穴掘り装置を提供するものである。
また、請求項２の発明では、
上面中央部に開口部を有し、下端が解放された筒状シールプレートと、
先端が開口し、基端が閉塞され、中間部が該開口部にボールジョイントを介して実質的に液密に上下方向に摺動自在、かつ回動自在に挿通される掘削パイプと、
該掘削パイプの軸芯にて長手方向に沿って上下動自在に設けられた水パイプと、
該水パイプの先端に設けられ水ジェットを放出させるためのノズルと、
送水ホースを介して水パイプの基端と連通する水ポンプまたは一般水道水を供給する水道からなる水供給部と、
一端が前記掘削パイプの基端近傍と連通し、他端が解放された排水ホースと、
を具備してなることを特徴とする簡易穴掘り装置を提供するものである。
水供給部は穴を掘ることができる水圧を備えた水を供給できればよく、水ポンプや一般水道水を用いることができる。
なお、排水ホースと掘削パイプとの接続部の水パイプの部分から分岐するようにして、分岐ノズルをその先端が排水ホース方向に向けて開口するように設けてもよい。
さらに、水パイプの上端部に送水ホースからの水量、水圧を制御する弁機構を設けてもよい。また、水パイプの上端に掘削パイプ先端と水パイプ先端との位置関係を調整する調整ネジを設けてもよい。
【０００５】
【作用】
筒状シールプレートは地面に実質的に液密な状態に固定され、その状態で水パイプ先端から水ジェットが放出されると、その近傍の土砂が液状化し水供給部からの水圧により液状化し、この液状化土砂が水パイプ外周と掘削パイプ内面との間の排水路を介して地上に排除される。掘削パイプは所望とする穴の大きさに応じてボールジョイントを中心として回動され、穴が適当に広げられる。穴が深くなるにつれて、掘削パイプも水パイプとともに地中に深く押込ませることにより任意の深さの穴を掘ることができる。
【０００６】
【実施例】
以下に、この発明の好適実施例について図面を参照して説明する。
図１はこの発明に係わる簡易穴掘り装置を一部断面にして示す模式図である。図示の如く、この装置は主として、筒状シールプレート１１と、掘削パイプ１２と、水パイプ１３と、ノズル１４と、水ポンプ１５と、排水ホース１６とから構成されている。
【０００７】
筒状シールプレート１１は、図２に拡大して示すように、浅い円筒状をなし、その上面中央部に開口部を有し、その開口部に軸受け１７を介してボールジョイント１８が回動自在に設けられている。なお、軸受け１７とボールジョイント１８との間の液密性を保つため、軸受け１７の内壁面にパッキン１９が設けられ、さらに掘削パイプ１２と、ボールジョイント１８との間の液密性を保つため、ボールジョイント１８の内側にもパッキン２０が設けられている。筒状シールプレート１１の円環状下端１１ａはやや鋭利となっていて地面に容易に食い込みシール効果を高めるようになっている。
【０００８】
掘削パイプ１２は、細長い円筒状をなし、先端が開口し、基端が閉塞され、基端近傍に排水ホース１６との接続を図るための排出ポート２１が横向きに設けられている。この掘削パイプ１２はボールジョイント１８内に挿入され、かつボールジョイント１８内にて摺動自在、かつボールジョイント１８とともに回動自在となっている。なお、この掘削パイプ１２の回動を作動するためのハンドル２２が掘削パイプ１２の基端部に設けられている。また、この掘削パイプ１２内部には、そのほぼ全長に亘って水パイプ１３が同軸的に設けられている。
【０００９】
この水パイプ１３は細長い円筒状をなし先端に水ジェットを地中に向けて放出させるためのノズル１４が取着されている。水パイプ１３の基端部は掘削パイプ１２の閉塞基端中央部を貫通して延び、その延出部に絞り弁（図示しない）が設けられ、さらにその上流に接続ポート２４が横方向に延び送水ホース２５と連通している。なお、図中２６はこの絞り弁を制御するためのポンプコントローラである。水パイプ１３の基端には調整ネジ２７が設けられていて、水パイプ１３の先端と掘削パイプ１２の先端との位置関係を調整し得るようになっている。
水ポンプ１５は水パイプ１３に加圧水を送るためのもので送水ホース２５を介して水パイプ１３の接続ポート２４と連通している。
【００１０】
次に、この構成からなる簡易穴掘り装置の使用方法について説明する。
まず、筒状シールプレート１１をその円環状下端が地面Ｅに食い込むように押込んで設定する。ついで掘削パイプ１２を水パイプ１３と共に下端を下に向けてボールジョイント１８に挿入する。さらに、ポンプコントローラ２６を操作し、水ポンプ１５を作動して水量や水圧を調整し、土砂の排出状態を見て、ノズル１４と掘削パイプ１２との位置関係を調整ネジ２７を介して最適に調整する。
必要に応じ掘削パイプ１２をハンドル２２を用いて回動し（矢線ａで示す）穴を必要な大きさに広げながら少しづつ押し下げて穴を次第に深く掘削する。
水ポンプ１５から連続的に供給される水はノズル１４から水ジェットとして勢い良く吹き出し土砂を掘り起こし、その土砂は水と混じって泥状になり、筒状シールプレート１１で密閉され逃げ場を失ったこの泥状物Ｄは掘削パイプ１２内部を上方へと移動し排出ポート２１を経て排水ホース１６へ送られ最終的に外部に排出される。
【００１１】
所定の深さまで穴が掘られたとき、水ポンプ１５を停止させ、掘削パイプ１２を水パイプ１３と共にボールジョイント１８から抜き出し、筒状シールプレート１１を地面から引き離し掘削が終了する。掘削された穴には水が残るが、次第に地面に浸み込んで穴だけが残る。
このように穴の深さや直径は、掘削パイプ１２の押込み長さや回動の大きさにより適宜調整することができ、所望の大きさの穴を簡単、かつ短時間に掘ることができる。
【００１２】
図３は、本発明の他の実施例に係わる簡易穴掘り装置の要部を示すものであって、排水ホース１６と掘削パイプ１２との接続部の水パイプ１５の部分に、分岐ノズル３０が先端を排水ホース１６方向に向けて開口するようにして水パイプ１５から分岐して設けられている。
この分岐ノズル３０から水を噴出させることにより、エジェクタ効果を生じさせ、土砂の排出効率を高めることができる。その他の構成、効果については、図１に示す実施例と同一であるので、その説明を省略する。
【００１３】
上記実施例では、水供給部として水タンクを用いた場合を例示したが、一般の水道管から供給される水道水であっても、その水圧を用いて穴を掘ることができる場合がある。
また、掘削パイプや水パイプは上下に移動させる構成に代えて伸縮可能な構成としてもよい。あるいは一定であってもよい。
その他、要するにこの発明の要旨を変更しない範囲で種々設計変更しうること勿論である。
【００１４】
【発明の効果】
この発明の簡易穴掘り装置は構造的に簡単であり、掘削パイプ、水パイプなどの主要部分を硬質塩化ビニルなどの硬質プラスチックなどで形成することができるから、全体として安価に製造することができ、かつ、その操作も簡単であるから、一般家庭で素人でも地面に簡単に穴を掘ることができ、一般家庭での樹木のための穴掘り、境界杭や小規模建造物の基礎のための穴掘りなどに広く利用することができる。
【図面の簡単な説明】
【図１】この発明の簡易穴掘り装置の１実施例を一部断面で示す模式的断面図。
【図２】図１の簡易穴掘り装置の一部を拡大して示す要部断面図。
【図３】この発明の簡易穴掘り装置の他の実施例を示す要部断面図。
【符号の説明】
１１…筒状シールプレート、
１２…掘削パイプ、
１３…水パイプ、
１４…ノズル、
１５…水ポンプ、
１６…排水ホース、
１７…軸受け、
１８…ボールジョイント、
１９、２０…パッキン、
２１…排出ポート、
２２…ハンドル、
２４…接続ポート、
２５…送水ホース、
２６…ポンプコントローラ、
２７…調整ネジ、
３０…分岐ノズル。
【図１】
0003566763.tif 000002
【図２】
0003566763.tif 000003
【図３】
0003566763.tif 000004